(57)【要約】【課題】カラー表示パネルよりも大きいサイズのモノクロ表示パネルを駆動可能なドライバーの作動方法、ドライバー、電気光学装置及び電子機器等を提供すること。【解決手段】カラー表示パネルを駆動する第１の場合には、第１色〜第３色のカラーの画像データをパラレルに受け付け、水平走査期間において、第１〜第ｎのゲート線のうち第ｉ〜第ｉ＋２のゲート線の画素を、第１色〜第３色のカラーの画像データに基づいて駆動する。モノクロ表示パネル２３０を駆動する第２の場合には、３本の水平走査線のモノクロの画像データＤＭ１［７：０］〜ＤＭ３［７：０］をパラレルに受け付け、水平走査期間において、第１〜第ｍのゲート線Ｇ１〜Ｇ９６０のうちの第ｊ〜第ｊ＋２のゲート線の画素を、３本の水平走査線のモノクロの画像データＤＭ１［７：０］〜ＤＭ３［７：０］に基づいて駆動する。【選択図】      図６
2015184610.tif 000002
【特許請求の範囲】
【請求項１】
第１色〜第３色に対応する３本のゲート線で１本の水平走査線が構成されるカラー表示パネルを駆動する第１の場合には、
前記第１色〜第３色のカラーの画像データをパラレルに受け付け、
水平走査期間において、前記カラー表示パネルの第１〜第ｎのゲート線（ｎはｎ≧３の自然数）のうち前記水平走査期間に対応する第ｉ〜第ｉ＋２のゲート線（ｉ＝１，４，７，・・・，ｎ−２）の画素を、前記第１色〜第３色の前記カラーの画像データに基づいて駆動し、
１本のゲート線で１本の水平走査線が構成されるモノクロ表示パネルを駆動する第２の場合には、
３本の水平走査線のモノクロの画像データをパラレルに受け付け、
水平走査期間において、前記モノクロ表示パネルの第１〜第ｍのゲート線（ｍはｍ≧３の自然数）のうち前記水平走査期間に対応する第ｊ〜第ｊ＋２のゲート線（ｊ＝１，４，７，・・・，ｍ−２）の画素を、前記３本の水平走査線の前記モノクロの画像データに基づいて駆動することを特徴とするドライバーの作動方法。
【請求項２】
請求項１において、
前記モノクロ表示パネルを駆動する前記第２の場合には、
前記水平走査期間において、前記第ｊ〜第ｊ＋２のゲート線を順次選択し、前記３本の水平走査線の１本目〜３本目の水平走査線の前記モノクロの画像データに順次基づいて、前記モノクロ表示パネルのソース線を駆動することを特徴とするドライバーの作動方法。
【請求項３】
請求項１又は２において、
前記カラー表示パネルを駆動する前記第１の場合には、
前記水平走査期間において、前記第ｉ〜第ｉ＋２のゲート線を順次選択し、前記第１色〜前記第３色の前記カラーの画像データに順次基づいて、前記カラー表示パネルのソース線を駆動することを特徴とするドライバーの作動方法。
【請求項４】
請求項１乃至３のいずれかにおいて、
第１〜第３のモードのいずれかを設定し、
前記第１のモードを設定した場合には、
前記カラー表示パネルを駆動する前記第１の場合の動作を行い、
前記第２のモードを設定した場合には、
前記モノクロ表示パネルを駆動する前記第２の場合の動作を行い、
前記第３のモードを設定した場合には、
１本の水平走査線のモノクロの画像データを受け付け、
水平走査期間において、前記モノクロ表示パネルの第１〜第ｍのゲート線のうちの第ｋのゲート線（ｋはｋ≦ｍの自然数）の画素を、前記１本の水平走査線の前記モノクロの画像データに基づいて駆動することを特徴とするドライバーの作動方法。
【請求項５】
請求項４において、
モード設定端子に設定された電圧レベル、又はホストコントローラーからのモード設定コマンドに基づいて、前記第１〜第３のモードを設定することを特徴とするドライバーの作動方法。
【請求項６】
請求項１乃至５のいずれかにおいて、
前記モノクロ表示パネルを駆動する前記第２の場合には、
第１〜第ｐのゲート駆動信号（ｐはｐ≧ｍの自然数）のうち第１〜第ｍのゲート駆動信号を前記第１〜第ｍのゲート線に出力し、
ｍ＞ｐ／３であることを特徴とするドライバーの作動方法。
【請求項７】
ゲートドライバーと、
ソースドライバーと、
前記ゲートドライバー及び前記ソースドライバーを制御する制御回路と、
を含み、
第１色〜第３色に対応する３本のゲート線で１本の水平走査線が構成されるカラー表示パネルを駆動する第１の場合には、
前記制御回路は、前記第１色〜第３色のカラーの画像データをパラレルに受け付け、
前記ゲートドライバーは、水平走査期間において、前記カラー表示パネルの第１〜第ｎのゲート線（ｎはｎ≧３の自然数）のうち前記水平走査期間に対応する第ｉ〜第ｉ＋２のゲート線（ｉ＝１，４，７，・・・，ｎ−２）を駆動し、
前記ソースドライバーは、前記水平走査期間において、前記第ｉ〜第ｉ＋２のゲート線の画素を、前記第１色〜第３色の前記カラーの画像データに基づいて駆動し、
１本のゲート線で１本の水平走査線が構成されるモノクロ表示パネルを駆動する第２の場合には、
前記制御回路は、３本の水平走査線のモノクロの画像データをパラレルに受け付け、
前記ゲートドライバーは、水平走査期間において、前記モノクロ表示パネルの第１〜第ｍのゲート線（ｍはｍ≧３の自然数）のうち前記水平走査期間に対応する第ｊ〜第ｊ＋２のゲート線（ｊ＝１，４，７，・・・，ｍ−２）を駆動し、
前記ソースドライバーは、前記水平走査期間において、前記第ｊ〜第ｊ＋２のゲート線の画素を、前記３本の水平走査線の前記モノクロの画像データに基づいて駆動することを特徴とするドライバー。
【請求項８】
請求項７において、
前記制御回路は、
第１〜第３のモードのいずれかを設定し、
前記第１のモードが設定された場合には、
前記制御回路と前記ゲートドライバーと前記ソースドライバーは、前記カラー表示パネルを駆動する前記第１の場合の動作を行い、
前記第２のモードが設定された場合には、
前記制御回路と前記ゲートドライバーと前記ソースドライバーは、前記モノクロ表示パネルを駆動する前記第２の場合の動作を行い、
前記第３のモードが設定された場合には、
前記制御回路は、１本の水平走査線のモノクロの画像データを受け付け、
前記ゲートドライバーは、水平走査期間において、前記モノクロ表示パネルの前記第１〜第ｍのゲート線のうちの第ｋのゲート線（ｋはｋ≦ｍの自然数）を駆動し、
前記ソースドライバーは、前記水平走査期間においての前記第ｋのゲート線画素を、前記１本の水平走査線の前記モノクロの画像データに基づいて駆動することを特徴とするドライバー。
【請求項９】
請求項８において、
前記制御回路は、
モード設定端子に設定された電圧レベル、又はホストコントローラーからのモード設定コマンドに基づいて、前記第１〜第３のモードを設定することを特徴とするドライバー。
【請求項１０】
請求項７乃至９のいずれかにおいて、
前記モノクロ表示パネルを駆動する前記第２の場合には、
前記水平走査期間において、前記ゲートドライバーは前記第ｊ〜第ｊ＋２のゲート線を順次選択し、前記ソースドライバーは、前記３本の水平走査線の１本目〜３本目の水平走査線の前記モノクロの画像データに順次基づいて、前記モノクロ表示パネルのソース線を駆動することを特徴とするドライバー。
【請求項１１】
請求項７乃至９のいずれかにおいて、
前記カラー表示パネルを駆動する前記第１の場合には、
前記水平走査期間において、前記ゲートドライバーは前記第ｉ〜第ｉ＋２のゲート線を順次選択し、前記ソースドライバーは、前記第１色〜前記第３色の前記カラーの画像データに順次基づいて、前記カラー表示パネルのソース線を駆動することを特徴とするドライバー。
【請求項１２】
請求項７乃至１１のいずれかにおいて、
前記モノクロ表示パネルを駆動する前記第２の場合には、
前記ゲートドライバーは、第１〜第ｐのゲート駆動信号（ｐはｐ≧ｍの自然数）のうち第１〜第ｍのゲート駆動信号を前記第１〜第ｍのゲート線に出力し、
ｍ＞ｐ／３であることを特徴とするドライバー。
【請求項１３】
請求項７乃至１２のいずれかに記載されたドライバーと、
前記カラー表示パネル又は前記モノクロ表示パネルと、
を含むことを特徴とする電気光学装置。
【請求項１４】
請求項７乃至１２のいずれかに記載されたドライバーを含むことを特徴とする電子機器。
【発明の詳細な説明】
【技術分野】
【０００１】
本発明は、ドライバーの作動方法、ドライバー、電気光学装置及び電子機器等に関する。
【背景技術】
【０００２】
カラー表示パネルを駆動する方式の１つに、トリプルゲート方式がある（例えば特許文献１〜３）。トリプルゲート方式では、ＲＧＢに対応する３本のゲート線を１セットとして１水平走査線の表示を実現する。その３本のゲート線にはドライバーの３つのゲート駆動端子が接続される。ドライバーは、その３つのゲート駆動端子を介して１水平走査期間において３本のゲート線を駆動し、ＲＧＢの表示を行う。
【先行技術文献】
【特許文献】
【０００３】
【特許文献１】特開平１１−４５０７２号公報
【特許文献２】特開２００２−３３３８６３号公報
【特許文献３】特開平９−１９９０４０号公報
【発明の概要】
【発明が解決しようとする課題】
【０００４】
上記のカラー表示用のドライバーでモノクロ表示パネルを駆動する場合、従来の手法では、ＲＧＢに対応する３つのゲート駆動端子のうち１つのゲート駆動端子を用いて１本のゲート線を駆動する。モノクロ表示パネルでは、１本のゲート線が１水平走査線に対応するので、駆動できる水平走査線の最大数は、カラー表示パネルを駆動する場合と同じである。
【０００５】
このように、従来の手法では、最大でもカラー表示パネルと同サイズ（同じ水平走査線数）のモノクロ表示パネルしか駆動できないという課題がある。
【０００６】
本発明の幾つかの態様によれば、カラー表示パネルよりも大きいサイズのモノクロ表示パネルを駆動可能なドライバーの作動方法、ドライバー、電気光学装置及び電子機器等を提供できる。
【課題を解決するための手段】
【０００７】
本発明の一態様は、第１色〜第３色に対応する３本のゲート線で１本の水平走査線が構成されるカラー表示パネルを駆動する第１の場合には、前記第１色〜第３色のカラーの画像データをパラレルに受け付け、水平走査期間において、前記カラー表示パネルの第１〜第ｎのゲート線（ｎはｎ≧３の自然数）のうち前記水平走査期間に対応する第ｉ〜第ｉ＋２のゲート線（ｉ＝１，４，７，・・・，ｎ−２）の画素を、前記第１色〜第３色の前記カラーの画像データに基づいて駆動し、１本のゲート線で１本の水平走査線が構成されるモノクロ表示パネルを駆動する第２の場合には、３本の水平走査線のモノクロの画像データをパラレルに受け付け、水平走査期間において、前記モノクロ表示パネルの第１〜第ｍのゲート線（ｍはｍ≧３の自然数）のうち前記水平走査期間に対応する第ｊ〜第ｊ＋２のゲート線（ｊ＝１，４，７，・・・，ｍ−２）の画素を、前記３本の水平走査線の前記モノクロの画像データに基づいて駆動するドライバーの作動方法に関係する。
【０００８】
本発明の一態様によれば、モノクロ表示パネルを駆動する場合に、水平走査期間において、第ｊ〜第ｊ＋２のゲート線の画素を駆動する。これにより、水平走査期間において３本の水平走査線の画素を駆動できるので、カラー表示パネルよりも大きいサイズのモノクロ表示パネルを駆動することが可能である。
【０００９】
また本発明の一態様では、前記モノクロ表示パネルを駆動する前記第２の場合には、前記水平走査期間において、前記第ｊ〜第ｊ＋２のゲート線を順次選択し、前記３本の水平走査線の１本目〜３本目の水平走査線の前記モノクロの画像データに順次基づいて、前記モノクロ表示パネルのソース線を駆動してもよい。
【００１０】
従来の駆動手法では、水平走査期間において１本の水平走査線を表示するため、最大でもカラー表示パネルと同一の水平走査線の本数のモノクロ表示パネルしか駆動できない。この点、本発明の一態様によれば、水平走査期間において３本のゲート線を順次選択することで３本の水平走査線を順次表示できる。これにより、従来の駆動手法に比べて、３倍の水平走査線の数をもつモノクロ表示パネルを駆動することが可能になる。
【００１１】
また本発明の一態様では、前記カラー表示パネルを駆動する前記第１の場合には、前記水平走査期間において、前記第ｉ〜第ｉ＋２のゲート線を順次選択し、前記第１色〜前記第３色の前記カラーの画像データに順次基づいて、前記カラー表示パネルのソース線を駆動してもよい。
【００１２】
このように、カラー表示パネルを駆動する場合には水平走査期間において１本の水平走査線を表示する。本発明の一態様によれば、第２の場合において水平走査期間に３本の水平走査線を順次表示できるので、最大でカラー表示パネルの３倍の水平走査線の本数をもつモノクロ表示パネルを駆動することが可能である。
【００１３】
また本発明の一態様では、第１〜第３のモードのいずれかを設定し、前記第１のモードを設定した場合には、前記カラー表示パネルを駆動する前記第１の場合の動作を行い、前記第２のモードを設定した場合には、前記モノクロ表示パネルを駆動する前記第２の場合の動作を行い、前記第３のモードを設定した場合には、１本の水平走査線のモノクロの画像データを受け付け、前記水平走査期間において、前記モノクロ表示パネルの第１〜第ｍのゲート線のうちの第ｋのゲート線（ｋはｋ≦ｍの自然数）の画素を、前記１本の水平走査線の前記モノクロの画像データに基づいて駆動してもよい。
【００１４】
このようにすれば、表示パネルに応じたモードを設定できる。また、モノクロ表示パネルを駆動する場合、水平走査期間に１本の水平走査線を駆動するモードと、３本の水平走査線を駆動するモードと、を切り替えることができる。
【００１５】
また本発明の一態様では、モード設定端子に設定された電圧レベル、又はホストコントローラーからのモード設定コマンドに基づいて、前記第１〜第３のモードを設定してもよい。
【００１６】
このようにすれば、モード設定端子に電圧レベルが設定されることにより、又はホストコントローラーからモード設定コマンドが発行されることにより、第１〜第３のモードを設定できる。
【００１７】
また本発明の一態様では、前記モノクロ表示パネルを駆動する前記第２の場合には、第１〜第ｐのゲート駆動信号（ｐはｐ≧ｍの自然数）のうち第１〜第ｍのゲート駆動信号を前記第１〜第ｍのゲート線に出力し、ｍ＞ｐ／３であってもよい。
【００１８】
第３のモードのように水平走査期間に１本の水平走査線を表示する場合には、ｍ≦ｐ／３であり、カラー表示パネルを駆動する第１の場合と同じである。この点、第２の場合には水平走査期間に３本の水平走査線を表示するので、ｍ＞ｐ／３にでき、カラー表示パネルよりも水平走査線の本数が多いモノクロ表示パネルを駆動可能である。
【００１９】
また本発明の他の態様は、ゲートドライバーと、ソースドライバーと、前記ゲートドライバー及び前記ソースドライバーを制御する制御回路と、を含み、第１色〜第３色に対応する３本のゲート線で１本の水平走査線が構成されるカラー表示パネルを駆動する第１の場合には、前記制御回路は、前記第１色〜第３色のカラーの画像データをパラレルに受け付け、前記ゲートドライバーは、水平走査期間において、前記カラー表示パネルの第１〜第ｎのゲート線（ｎはｎ≧３の自然数）のうち前記水平走査期間に対応する第ｉ〜第ｉ＋２のゲート線（ｉ＝１，４，７，・・・，ｎ−２）を駆動し、前記ソースドライバーは、前記水平走査期間において、前記第ｉ〜第ｉ＋２のゲート線の画素を、前記第１色〜第３色の前記カラーの画像データに基づいて駆動し、１本のゲート線で１本の水平走査線が構成されるモノクロ表示パネルを駆動する第２の場合には、前記制御回路は、３本の水平走査線のモノクロの画像データをパラレルに受け付け、前記ゲートドライバーは、水平走査期間において、前記モノクロ表示パネルの第１〜第ｍのゲート線（ｍはｍ≧３の自然数）のうち前記水平走査期間に対応する第ｊ〜第ｊ＋２のゲート線（ｊ＝１，４，７，・・・，ｍ−２）を駆動し、前記ソースドライバーは、前記水平走査期間において、前記第ｊ〜第ｊ＋２のゲート線の画素を、前記３本の水平走査線の前記モノクロの画像データに基づいて駆動するドライバーに関係する。
【００２０】
本発明の一態様によれば、モノクロ表示パネルを駆動する場合に、水平走査期間において、ゲートドライバー及びソースドライバーにより第ｊ〜第ｊ＋２のゲート線の画素が駆動される。これにより、水平走査期間において３本の水平走査線の画素を駆動できるので、カラー表示パネルよりも大きいサイズのモノクロ表示パネルを駆動することが可能である。
【００２１】
また本発明の他の態様では、前記制御回路は、第１〜第３のモードのいずれかを設定し、前記第１のモードが設定された場合には、前記制御回路と前記ゲートドライバーと前記ソースドライバーは、前記カラー表示パネルを駆動する前記第１の場合の動作を行い、前記第２のモードが設定された場合には、前記制御回路と前記ゲートドライバーと前記ソースドライバーは、前記モノクロ表示パネルを駆動する前記第２の場合の動作を行い、前記第３のモードが設定された場合には、前記制御回路は、１本の水平走査線のモノクロの画像データを受け付け、前記ゲートドライバーは、前記水平走査期間において、前記モノクロ表示パネルの前記第１〜第ｍのゲート線のうちの第ｋのゲート線（ｋはｋ≦ｍの自然数）を駆動し、前記ソースドライバーは、前記水平走査期間においての前記第ｋのゲート線画素を、前記１本の水平走査線の前記モノクロの画像データに基づいて駆動してもよい。
【００２２】
また本発明の他の態様では、前記制御回路は、モード設定端子に設定された電圧レベル、又はホストコントローラーからのモード設定コマンドに基づいて、前記第１〜第３のモードを設定してもよい。
【００２３】
また本発明の他の態様では、前記モノクロ表示パネルを駆動する前記第２の場合には、前記水平走査期間において、前記ゲートドライバーは前記第ｊ〜第ｊ＋２のゲート線を順次選択し、前記ソースドライバーは、前記３本の水平走査線の１本目〜３本目の水平走査線の前記モノクロの画像データに順次基づいて、前記モノクロ表示パネルのソース線を駆動してもよい。
【００２４】
また本発明の他の態様では、前記カラー表示パネルを駆動する前記第１の場合には、前記水平走査期間において、前記ゲートドライバーは前記第ｉ〜第ｉ＋２のゲート線を順次選択し、前記ソースドライバーは、前記第１色〜前記第３色の前記カラーの画像データに順次基づいて、前記カラー表示パネルのソース線を駆動してもよい。
【００２５】
また本発明の他の態様では、前記モノクロ表示パネルを駆動する前記第２の場合には、前記ゲートドライバーは、第１〜第ｐのゲート駆動信号（ｐはｐ≧ｍの自然数）のうち第１〜第ｍのゲート駆動信号を前記第１〜第ｍのゲート線に出力し、ｍ＞ｐ／３であってもよい。
【００２６】
また本発明の更に他の態様は、上記のいずれかに記載されたドライバーと、前記カラー表示パネル又は前記モノクロ表示パネルと、を含む電気光学装置に関係する。
【００２７】
また本発明の更に他の態様は、上記のいずれかに記載されたドライバーを含む電子機器に関係する。
【図面の簡単な説明】
【００２８】
【図１】第１のモードにおいて駆動するカラー表示パネルの構成例。
【図２】第３のモードにおいて駆動するモノクロ表示パネルの構成例。
【図３】第２のモードにおいて駆動するモノクロ表示パネルの構成例。
【図４】本実施形態のドライバーの構成例と、第１のモードにおけるドライバーの接続構成例。
【図５】第３のモードにおけるドライバーの接続構成例。
【図６】第２のモードにおけるドライバーの接続構成例。
【図７】第１のモードにおける画像データ取り込み動作のタイミングチャート。
【図８】第１のモードにおける駆動動作のタイミングチャートを示す。
【図９】第３のモードにおける画像データ取り込み動作のタイミングチャート
【図１０】第３のモードにおける駆動動作のタイミングチャートを示す。
【図１１】第２のモードにおける画像データ取り込み動作のタイミングチャート
【図１２】第２のモードにおける駆動動作のタイミングチャートを示す。
【図１３】電子機器の構成例。
【発明を実施するための形態】
【００２９】
以下、本発明の好適な実施の形態について詳細に説明する。なお以下に説明する本実施形態は特許請求の範囲に記載された本発明の内容を不当に限定するものではなく、本実施形態で説明される構成の全てが本発明の解決手段として必須であるとは限らない。
【００３０】
１．表示パネル
以下では、本実施形態のドライバーが、表示パネルに応じた駆動モードを設定する場合を例に説明するが、これに限定されない。例えば、第１のモードと第２のモードの設定は必ずしも必須でない。
【００３１】
まず、本実施形態のドライバーが駆動する表示パネルについて説明する。表示パネルとしては、例えばアクティブマトリクス方式（例えばＴＦＴ液晶）の液晶表示パネルや、自発光素子（例えばＥＬ素子）を用いた表示パネル等を想定できる。
【００３２】
図１に、第１のモードにおいて駆動するカラー表示パネルの構成例を示す。カラー表示パネルのサイズは、垂直方向のサイズを水平走査線の本数として４８０×３２０である。即ち、カラー表示パネルは、４８０本のソース線と３２０本の水平走査線Ｌ１〜Ｌ３２０で構成される。１本の水平走査線は３本のゲート線ＧＲ、ＧＧ、ＧＢで構成される。ゲート線ＧＲとソース線との交点には赤色（Ｒ）の画素が接続され、ゲート線ＧＧとソース線との交点には緑色（Ｇ）の画素が接続され、ゲート線ＧＢとソース線との交点には青色（Ｂ）の画素が接続される。ゲート線の本数は、３２０×３＝９６０本である。
【００３３】
本実施形態において、カラー表示においては垂直方向にＲ、Ｇ、Ｂの３画素で表示画像の１つの最小単位が構成され、モノクロ表示では１画素で表示画像の１つの最小単位が構成される。ここで１本の水平走査線とは、水平方向に並ぶ１行の最小単位を走査する線と定義しており、その為カラー表示パネルでは、１本の水平走査線は３本のゲート線ＧＲ、ＧＧ、ＧＢで構成されることになる。またモノクロ表示では、１本の水平走査線は１本のゲート線で構成されることになる。
【００３４】
図２に、第３のモードにおいて駆動するモノクロ表示パネルの構成例を示す。モノクロ表示パネルのサイズは、図１のカラー表示パネルと同じ４８０×３２０である。即ち、モノクロ表示パネルは、４８０本のソース線と３２０本の水平走査線Ｌ１〜Ｌ３２０で構成される。１本の水平走査線は１本のゲート線で構成され、ゲート線とソース線との交点にはモノクロの画素（Ｐ）が接続される。
【００３５】
第３のモードは、図１のカラー表示パネル用のドライバーをモノクロ表示パネルに転用する際に用いるモードである。後述のように、第３のモードではカラー表示パネルと最大で同一サイズのモノクロ表示パネルしか駆動することができない。即ち、第１のモードと第３のモードのみを切り替え可能なドライバーを比較例として考えた場合、比較例のドライバーでは、４８０×３２０を超えるサイズ（水平走査線数）のモノクロ表示パネルを接続できない。そこで本実施形態のドライバーは、下記のモノクロ表示パネルを駆動できる第２のモードを有する。
【００３６】
図３に、第２のモードにおいて駆動するモノクロ表示パネルの構成例を示す。モノクロ表示パネルのサイズは、図１のカラー表示パネルの３倍の水平走査線をもつ４８０×９６０である。即ち、モノクロ表示パネルは、４８０本のソース線と９６０本の水平走査線Ｌ１〜Ｌ９６０で構成される。１本の水平走査線は１本のゲート線で構成され、ゲート線とソース線との交点にはモノクロの画素（Ｐ）が接続される。
【００３７】
本実施形態のドライバーは、このようなカラー表示パネルよりも大きいサイズのモノクロ表示パネルを駆動することが可能である。これは、第２のモードにおいて水平走査期間に３本の水平走査線を駆動することで実現される。以下、各モードでのドライバーと表示パネルの接続構成例、ドライバーの動作について詳細に説明する。なお、本実施形態のドライバーは第１〜第３のモードを切り替え可能であるが、パネルと共に実装された状態では基本的にはパネルに対応した１つのモードに固定（例えば後述の端子設定）されて動作する。
【００３８】
２．ドライバー
２．１．第１のモード
図４に、本実施形態のドライバーの構成例と、図１のカラー表示パネルを駆動する第１のモード（第１の場合）におけるドライバーの接続構成例を示す。
【００３９】
ドライバー１００は、ゲートドライバー１１０と、ソースドライバー１２０と、制御回路１３０と、を含む。ドライバー１００は例えば集積回路装置（ＩＣ）として構成される。以下では１チップのＩＣで表示パネルを駆動する場合を例に説明するが、これに限定されない。例えば４８０本のソース線を２４０本ずつ２チップのＩＣで駆動してもよい。
【００４０】
ゲートドライバー１１０は、表示パネルのゲート線を駆動する回路であり、第１〜第９６０のゲート駆動信号ＧＱ１〜ＧＱ９６０を出力してカラー表示パネル２１０の９６０本のゲート線を駆動する。具体的には、ゲートドライバー１１０は、第１のゲートドライバーと第２のゲートドライバーとを含む。第１のゲートドライバーは、９６０本のゲート線のうち奇数番目のゲート線ＧＲ１、ＧＢ１、ＧＧ２、・・・、ＧＧ３２０を駆動する。第２のゲートドライバーは、９６０本のゲート線のうち偶数番目のゲート線ＧＧ１、ＧＲ２、ＧＢ２、・・・、ＧＢ３２０を駆動する。
【００４１】
ソースドライバー１２０は、表示パネルのソース線を駆動する回路であり、第１〜第４８０のソース駆動信号ＳＱ１〜ＳＱ４８０（ソース電圧、データ電圧）を出力してカラー表示パネル２１０の第１〜第４８０のソース線Ｓ１〜Ｓ４８０を駆動する。なお、時分割駆動を行う場合には、ソース線の数をマルチ数で割った個数のソース駆動信号を出力すればよい。この場合、カラー表示パネル２１０は、時分割のソース駆動信号を分配するデマルチプレクサーを含む。
【００４２】
カラー表示パネル２１０は、図１で上述のように、第１色〜第３色（ＲＧＢ）に対応する３本のゲート線で１本の水平走査線が構成されるパネルである。図４において、例えば第１の水平走査線のＲＧＢのゲート線ＧＲ１、ＧＧ１、ＧＢ１と第１のソース線Ｓ１とが接続される画素には、Ｒ１１、Ｇ１１、Ｂ１１の符号を付す。例えば、ゲートドライバー１１０がゲート駆動信号ＧＱ１をアクティブにした場合には、ゲート線ＧＲ１に接続された画素Ｒ１１〜Ｒ１（４８０）にソース駆動信号ＳＱ１〜ＳＱ４８０が書き込まれる。
【００４３】
制御回路１３０は、処理部３００（ホストコントローラー）からの画像データ及び制御信号に基づいて、ゲートドライバー１１０とソースドライバー１２０を制御する。具体的には、処理部３００は、第１〜第３のバスＢＵ１〜ＢＵ３に、ＲＧＢのカラーの画像データＤＲ［７：０］、ＤＧ［７：０］、ＤＢ［７：０］を出力する。各色の１画素あたりの階調データは例えば８ビットであり、ＲＧＢ合わせて２４ビットである。制御回路１３０は、その２４ビットの画像データをパラレルに受け付ける。また、処理部３００は、水平同期信号ＨＳＹＮＣ等の同期信号や、画像データに同期したクロック信号ＰＣＬＫを制御回路１３０へ出力する。
【００４４】
制御回路１３０は、これらの画像データと制御信号に基づいて、ゲートドライバー１１０に対してアドレス信号を出力し、ソースドライバー１２０に対して各ソース線に対応した画像データを出力する。ゲートドライバー１１０は、アドレス信号をデコードし、そのデコード値に対応するゲート線を選択する。ソースドライバー１２０は、入力された画像データを階調電圧（データ電圧）にＤ／Ａ変換し、その階調電圧を不図示のソースアンプでバッファリングしてソース駆動信号として出力する。
【００４５】
第１のモードにおいては、ゲートドライバー１１０は、水平走査期間において、ＲＧＢに対応する第ｉ〜第ｉ＋２のゲート線（ｉは水平走査期間毎に１，４，７，・・・，９５８と変化する）を駆動する。そして、ソースドライバー１２０は、水平走査期間において、その第ｉ〜第ｉ＋２のゲート線の画素を、ＲＧＢのカラーの画像データＤＲ［７：０］、ＤＧ［７：０］、ＤＢ［７：０］に基づいて駆動する。例えば、第１の水平走査線を駆動する第１の水平走査期間では、第１〜第３のゲート線ＧＲ１、ＧＧ１、ＧＢ１（ｉ＝１）が選択される。そして、画素Ｒ１１〜Ｒ１（４８０）、Ｇ１１〜Ｇ１（４８０）、Ｂ１１〜Ｂ１（４８０）に、画像データＤＲ［７：０］、ＤＧ［７：０］、ＤＢ［７：０］に対応した階調電圧が書き込まれる。
【００４６】
以上のように、第１のモードでは、１つの水平走査期間においてＲＧＢの３本のゲート線の画素に階調電圧を書き込む。これにより、各水平走査期間においてカラー表示パネル２１０の１本の水平走査線を描画でき、これを垂直走査期間に３２０回行って１フレームの画像を表示できる。
【００４７】
なお、上記ではドライバー１００の出力数とカラー表示パネル２１０のサイズが同じ場合を例に説明したが、これに限定されない。即ち、カラー表示パネル２１０は第１〜第ｎのゲート線（ｎはｎ≧３の自然数）と第１〜第ｑのソース線とを有してもよい。この場合、パネルのサイズはｑ×（ｎ／３）となる。そして、ゲートドライバー１１０は、第１〜第ｐのゲート駆動信号（ｐ≧ｎ）を出力し、そのうち第１〜第ｎのゲート駆動信号により第１〜第ｎのゲート線を駆動してもよい。図４の例では、ｎ＝ｐ＝９６０、ｑ＝４８０である。
【００４８】
２．２．第３のモード
図５に、図２のモノクロ表示パネルを駆動する第３のモードにおけるドライバーの接続構成例を示す。なお、既に上述した構成要素と同一の構成要素については同一の符号を付し、適宜説明を省略する。
【００４９】
ゲートドライバー１１０は、第１〜第９６０のゲート駆動信号ＧＱ１〜ＧＱ９６０のうち１／３を用いてモノクロ表示パネル２２０の３２０本のゲート線を駆動する。具体的には、カラー表示を行う第１のモードにおいてＲＧＢに対応する３つのゲート駆動信号のうち、１つ（例えばＲに対応する）のゲート駆動信号を用いる。即ち、ゲート駆動信号ＧＱ１、ＧＱ４、ＧＱ７、・・・、ＧＱ９５８を第１〜第３２０のゲート線Ｇ１〜Ｇ３２０に出力する。
【００５０】
モノクロ表示パネル２２０は、図２で上述のように、１本のゲート線で１本の水平走査線が構成されるパネルである。図５において、例えば第１のゲート線Ｇ１と第１のソース線Ｓ１とが接続される画素にはＰ１の符号を付す。例えば、ゲートドライバー１１０がゲート駆動信号ＧＱ１をアクティブにした場合には、ゲート線Ｇ１に接続された画素Ｐ１１〜Ｐ１（４８０）にソース駆動信号ＳＱ１〜ＳＱ４８０が書き込まれる。
【００５１】
処理部３００は、第１のバスＢＵ１にモノクロの画像データＤＭ［７：０］を出力する。１画素あたりの階調データは例えば８ビットである。第２のバスＢＵ２、第３のバスＢＵ３には画像データを出力しない。即ち、制御回路１３０は、１本のバスＢＵ１のみから入力された８ビットの画像データを受け付ける。
【００５２】
第３のモードにおいては、ゲートドライバー１１０は、水平走査期間において第ｋのゲート線Ｇｋ（ｋは水平走査期間毎に１，２，３，・・・，３２０と変化する）を駆動する。そして、ソースドライバー１２０は、水平走査期間において、その第ｋのゲート線Ｇｋの画素を、１本の水平走査線のモノクロの画像データＤＭ［７：０］に基づいて駆動する。例えば、第１の水平走査線を駆動する第１の水平走査期間では、第１のゲート線Ｇ１（ｋ＝１）が選択される。そして、画素Ｐ１１〜Ｐ１（４８０）に、画像データＤＭ［７：０］に対応した階調電圧が書き込まれる。
【００５３】
ここで、比較例として第１のモードと第３のモードのみを切り替え可能なドライバーを考える。後述のように、第１のモード及び第３のモードでは、１つの水平走査期間において１本の水平走査線を描画する。このような駆動方法では、カラー表示とモノクロ表示のいずれでも、１フレームの画像サイズは最大でも４８０×３２０である。即ち、比較例のドライバーでは、カラー表示の最大サイズである４８０×３２０よりも大きいサイズのモノクロ表示を行うことはできない。
【００５４】
なお、上記ではドライバー１００のゲート出力数がモノクロ表示パネル２２０の垂直サイズの３倍である場合を例に説明したが、これに限定されない。即ち、モノクロ表示パネル２２０は第１〜第ｍのゲート線（ｍはｍ≧３の自然数）と第１〜第ｑのソース線とを有してもよい。この場合、パネルのサイズはｑ×ｍとなる。そして、ゲートドライバー１１０は、第１〜第ｐのゲート駆動信号（ｐ／３≧ｍ）のうちｍ個のゲート駆動信号により第１〜第ｍのゲート線を駆動してもよい。カラー表示パネル２１０の第１〜第ｎのゲート線との関係では、ｐ／３≧ｎ／３≧ｍである。図５の例では、ｍ＝ｎ／３＝ｐ／３＝３２０、ｑ＝４８０である。
【００５５】
２．３．第２のモード
上述した比較例の課題を解決できる第２のモード（第２の場合）について説明する。
【００５６】
図６に、図３のモノクロ表示パネルを駆動する第２のモードにおけるドライバーの接続構成例を示す。なお、既に上述した構成要素と同一の構成要素については同一の符号を付し、適宜説明を省略する。
【００５７】
ゲートドライバー１１０は、第１〜第９６０のゲート駆動信号ＧＱ１〜ＧＱ９６０によりモノクロ表示パネル２３０の第１〜第９６０のゲート線Ｇ１〜Ｇ９６０を駆動する。
【００５８】
モノクロ表示パネル２３０は、図３で上述のように、１本のゲート線で１本の水平走査線が構成されるパネルである。画素の符号は図５と同様である。
【００５９】
処理部３００は、第１〜第３のバスＢＵ１〜ＢＵ３にモノクロの画像データＤＭ１［７：０］、ＤＭ２［７：０］、ＤＭ３［７：０］を出力する。１つの水平走査期間では、３本の水平走査線の画像データが入力されることになる。１画素あたりの階調データは例えば８ビットであり、３本の水平走査線を合わせて２４ビットである。制御回路１３０は、その２４ビットの画像データをパラレルに受け付ける。
【００６０】
第２のモードにおいては、ゲートドライバー１１０は、水平走査期間において第ｊ〜ｊ＋２のゲート線Ｇｊ〜Ｇｊ＋２（ｊは水平走査期間毎に１，４，７，・・・，９５８と変化する）を駆動する。そして、ソースドライバー１２０は、水平走査期間において、その第ｊ〜ｊ＋２のゲート線Ｇｊ〜Ｇｊ＋２の画素を、３本の水平走査線のモノクロの画像データＤＭ１［７：０］、ＤＭ２［７：０］、ＤＭ３［７：０］に基づいて駆動する。例えば、第１〜第３の水平走査線を駆動する第１の水平走査期間では、第１〜第３のゲート線Ｇ１〜Ｇ３（ｊ＝１）が選択される。そして、画素Ｐ１１〜Ｐ１（４８０）、Ｐ２１〜Ｐ２（４８０）、Ｐ３１〜Ｐ３（４８０）に、画像データＤＭ１［７：０］、ＤＭ２［７：０］、ＤＭ３［７：０］に対応した階調電圧が書き込まれる。
【００６１】
以上のように、第２のモードでは、水平走査期間において３本の水平走査線を描画する。これにより、１フレームの画像サイズは４８０×９６０となり、カラー表示の３倍のサイズ（水平走査線の数）のモノクロ表示を実現できる。また、後述するように、通常のモノクロ表示に比べて入力データレートを低減できるので、低消費電力化できる。なお、描画する水平走査線の数に関わらず、水平同期信号の立ち下がりから次の立ち下がりまでの期間（図１１のＨＰ、図１２のｈｐ）を水平走査期間と呼ぶ。
【００６２】
なお、上記ではドライバー１００の出力数がモノクロ表示パネル２３０のサイズと同じ場合を例に説明したが、これに限定されない。即ち、モノクロ表示パネル２３０のサイズはｑ×ｍであってもよい。ゲートドライバー１１０は、第１〜第ｐのゲート駆動信号（ｐ≧ｍ）のうち第１〜第ｍのゲート駆動信号により第１〜第ｍのゲート線を駆動してもよい。カラー表示パネル２１０のサイズｑ×（ｎ／３）との関係では、ｐ≧ｎ≧ｍである。図６の例では、ｍ＝ｎ＝ｐ＝９６０、ｑ＝４８０である。
【００６３】
ｐ、ｍを用いて再度説明すると、第３のモードでは、ゲート駆動信号の数ｐに対して、モノクロ表示パネル２２０の水平走査線の本数はｍ≦ｐ／３である（ｐ＝９６０の場合、ｍ≦３２０）。これは、第１のモードでのカラー表示と同じ条件である。一方、第２のモードでは、モノクロ表示パネル２２０の水平走査線の本数をｍ＞ｐ／３にできる（ｐ＝９６０の場合、３２０＜ｍ≦９６０）。
【００６４】
なお、以上の実施形態ではｑ本のソース線をｑ個のソース駆動信号で駆動する全体駆動を例に説明したが、これに限定されない。例えば、表示データを記憶する不図示のＲＡＭを設けた場合にはパーシャル駆動を行うことも可能である。即ち、ｑ本のソース線をｑ＞ｑ’のｑ’個のソース駆動信号で駆動し、表示パネルの一部の画素を駆動してもよい。
【００６５】
３．動作の詳細
３．１．第１のモード
次に、第１〜第３のモードにおけるドライバー１００の動作の詳細を説明する。
【００６６】
図７に、第１のモードにおける画像データ取り込み動作のタイミングチャートを示す。
【００６７】
水平同期信号ＨＳＹＮＣの立ち下がりから次の立ち下がりまでの期間ＨＰが水平走査期間である。イネーブル信号ＥＮＡＢは、処理部３００が有効な画像データを出力する期間にアクティブとなり、制御回路１３０は、その期間に画像データを取り込む。制御回路１３０は、クロック信号ＰＣＬＫの立ち上がりで画像データＤＲ［７：０］、ＤＧ［７：０］、ＤＢ［７：０］をラッチする。即ち、１回の立ち上がりでＲＧＢの３画素の階調データ（２４ビット）をラッチする。水平走査期間ＨＰでは１本の水平走査線の画像データ（４８０×３画素）をラッチする。
【００６８】
図８に、第１のモードにおける駆動動作のタイミングチャートを示す。
【００６９】
水平同期信号ｈｓｙｎｃは、制御回路１３０が生成したドライバー１００の内部信号である。水平同期信号ｈｓｙｎｃの立ち下がりから次の立ち下がりまでの期間ｈｐが水平走査期間である。第１のモードでは、水平走査期間ｈｐにおいて、ゲートドライバー１１０は第ｉ〜第ｉ＋２のゲート線を順次選択する。そして、ソースドライバー１２０は、１本の水平走査線の第１色〜第３色（ＲＧＢ）のカラーの画像データ画像データＤＲ［７：０］、ＤＧ［７：０］、ＤＢ［７：０］に順次基づいてソース線Ｓ１〜Ｓ４８０を駆動する。例えば、第１の水平走査期間（ｉ＝１）では、ゲート駆動信号ＧＱ１をアクティブにして第１のゲート線ＧＲ１を選択し、次にゲート駆動信号ＧＱ２をアクティブにして第２のゲート線ＧＧ１を選択し、次にゲート駆動信号ＧＱ３をアクティブにして第３のゲート線ＧＢ１を選択する。そのゲート線の駆動タイミングに合わせて、第１の水平走査線Ｌ１のＲの階調電圧、Ｇの階調電圧、Ｂの階調電圧を、順次ソース線に出力する。次の第２の水平走査期間（ｉ＝４）では、同様にして第４〜第６のゲート線ＧＲ２、ＧＧ２、ＧＢ２を順次選択し、第２の水平走査線Ｌ２のＲＧＢの階調電圧を順次ソース線に出力する。
【００７０】
以上のように、第１のモードでは、１つの水平走査期間ｈｐにおいてＲＧＢの３本のゲート線を駆動することで１本の水平走査線を描画し、１フレームでは４８０×３２０サイズのカラー表示を行うことができる。
【００７１】
３．２．第３のモード
次に、図９に第３のモードにおける画像データ取り込み動作のタイミングチャートを示す。
【００７２】
制御回路１３０は、クロック信号ＰＣＬＫの立ち上がりで画像データＤＭ［７：０］をラッチする。即ち、１回の立ち上がりでモノクロの１画素の階調データ（８ビット）をラッチする。水平走査期間ＨＰでは１本の水平走査線の画像データ（４８０画素）をラッチする。
【００７３】
図１０に、第３のモードにおける駆動動作のタイミングチャートを示す。
【００７４】
第３のモードでは、水平走査期間ｈｐにおいて、ゲートドライバー１１０は第ｋのゲート線を選択する。そして、ソースドライバー１２０は、第ｋの水平走査線のモノクロの画像データ画像データＤＭ［７：０］に基づいてソース線Ｓ１〜Ｓ４８０を駆動する。例えば、第１の水平走査期間（ｋ＝１）では、ゲート駆動信号ＧＱ１をアクティブにして第１のゲート線Ｇ１を選択し、第１の水平走査線Ｌ１のモノクロの階調電圧をソース線に出力する。次の第２の水平走査期間（ｋ＝２）では、同様にして第２のゲート線Ｇ２を選択し、第２の水平走査線Ｌ２のモノクロの階調電圧をソース線に出力する。
【００７５】
以上のように、第３のモードでは、１つの水平走査期間ｈｐにおいて１本のゲート線を駆動することで１本の水平走査線を描画し、１フレームでは４８０×３２０サイズのモノクロ表示を行う。
【００７６】
３．３．第２のモード
図１１に、第２のモードにおける画像データ取り込み動作のタイミングチャートを示す。
【００７７】
制御回路１３０は、クロック信号ＰＣＬＫの立ち上がりで画像データＤＭ１［７：０］、ＤＭ２［７：０］、ＤＭ３［７：０］をラッチする。即ち、１回の立ち上がりでモノクロの３画素の階調データ（２４ビット）をラッチする。水平走査期間ＨＰでは３本の水平走査線の画像データ（４８０×３画素）をラッチする。
【００７８】
図１２に、第２のモードにおける駆動動作のタイミングチャートを示す。
【００７９】
第２のモードでは、水平走査期間ｈｐにおいて、ゲートドライバー１１０は第ｊ〜第ｊ＋２のゲート線を順次選択する。そして、ソースドライバー１２０は、１本目〜３本目の水平走査線のモノクロの画像データＤＭ１［７：０］、ＤＭ２［７：０］、ＤＭ３［７：０］に順次基づいてソース線Ｓ１〜Ｓ４８０を駆動する。例えば、第１の水平走査期間（ｊ＝１）では、ゲート駆動信号ＧＱ１をアクティブにして第１のゲート線Ｇ１を選択し、第１の水平走査線Ｌ１の階調電圧をソース線に出力し、次にゲート駆動信号ＧＱ２をアクティブにして第２のゲート線Ｇ２を選択し、第２の水平走査線Ｌ２の階調電圧をソース線に出力し、ゲート駆動信号ＧＱ３をアクティブにして第３のゲート線Ｇ３を選択し、第３の水平走査線Ｌ３の階調電圧をソース線に出力する。次の第２の水平走査期間（ｊ＝４）では、同様にして第４〜第６のゲート線Ｇ４〜Ｇ６を順次選択し、第４〜第６の水平走査線Ｌ４〜Ｌ６の階調電圧をソース線に出力する。
【００８０】
以上のように、第２のモードでは、水平走査期間ｈｐにおいて３本のゲート線を駆動することで３本の水平走査線を描画し、１フレームでは４８０×９６０サイズのモノクロ表示を行うことができる。
【００８１】
また、水平走査期間に１本の水平走査線を描画する通常のモノクロ表示に比べて入力データレートを低減できる。例えば、４８０×９６０サイズのモノクロ表示をリフレッシュレート６０Ｈｚで行う場合、通常のモノクロ表示では４０ＭＨｚ程度の入力データレート及び処理周波数となる。本実施形態では、水平走査期間に３本の水平走査線を描画するので、１／３の１３ＭＨｚ程度の入力データレート及び処理周波数にできる。動作周波数を低減できるので、低消費電力化できる。
【００８２】
４．モード設定手法
次に、上述した第１〜第３のモードを設定する手法について説明する。
【００８３】
図４〜図６に示すように、ドライバー１００はモード設定端子ＴＭ１、ＴＭ２を有する。制御回路１３０は、そのモード設定端子ＴＭ１、ＴＭ２に設定された電圧レベルに基づいて、第１〜第３のモードを設定する。
【００８４】
具体的には、ドライバー１００が実装される回路基板上においてモード設定端子ＴＭ１、ＴＭ２には第１の電圧レベル（例えばグランド電圧）のノード又は第２の電圧レベル（例えば電源電圧）のノードが接続される。制御回路１３０は、第１の電圧レベルのモード設定端子の設定値を“０”とし、第２の電圧レベルのモード設定端子の設定値を“１”とする。
【００８５】
例えば、モード設定端子ＴＭ１、ＴＭ２の設定値が“００”の場合、４８０×３２０サイズのカラー表示パネル２１０を駆動する第１のモードを設定する。“０１”の場合、４８０×９６０サイズのモノクロ表示パネル２３０を駆動する第２のモードを設定し、“１１”の場合、４８０×３２０サイズのモノクロ表示パネル２２０を駆動する第３のモードを設定する。
【００８６】
なお、モード設定手法は上記に限らず、処理部３００（ホストコントローラー）からのモード設定コマンドに基づいて、第１〜第３のモードを設定してもよい。この場合、処理部３００は、モードを指定するコマンドを発行し、制御回路１３０は、そのコマンドからモード設定値を取得してモード設定を行う。
【００８７】
以上のモード設定により、本実施形態のドライバー１００は表示パネル及び駆動手法に応じた３種類のモードを切り替えることができる。即ち、カラー表示パネルを駆動するモードと、モノクロ表示パネルを駆動する２種類のモード（水平走査期間に１本の水平走査線を駆動するモードと、３本の水平走査線を駆動するモード）を切り替えることができる。
【００８８】
なお、処理部３００から供給される画像データのビット数が同じ場合には、第１のモードと第２のモードは必ずしも必須でない（例えば図４、図６等のように１画素８ビットの場合）。画像データのビット数が異なる（例えばカラーで１画素６ビット、モノクロで１画素４ビットが供給される）場合には、例えばドライバー内部で同一ビット数（例えば８ビット）に拡張する処理等が必要であり、モードの切り替えが必要である。
【００８９】
５．電子機器
図１３に、本実施形態のドライバー１００を適用できる電子機器の構成例を示す。
【００９０】
電子機器は、処理部３００、電気光学装置３１０、メモリー３２０、操作部３３０、通信部３４０を含む。電気光学装置３１０は、ドライバー１００、表示パネル３５０を含む。表示パネル３５０は、カラー表示パネル又はモノクロ表示パネルである。
【００９１】
電子機器としては、例えば自動車のメーター等の表示装置や、テレビ等の表示機器や、スマートフォン等のモバイル機器や、携帯ゲーム機、カーナビゲーションシステム等が想定される。
【００９２】
処理部３００は、ＣＰＵや画像処理用のＡＳＩＣ、ＤＳＰ等のプロセッサーで構成され、種々の処理や各部の制御を行う。例えば、メモリー３２０から画像データを読み出し、或は通信部３４０を介して画像データを受信し、その画像データを電気光学装置３１０に表示させる処理を行う。メモリー３２０は、ＲＡＭやＲＯＭ等で構成され、処理部３００のワーキングメモリーとして機能したり、或は種々のデータを記憶したりする。操作部３３０は、例えばタッチパネルやボタン、キーボード等で構成され、ユーザーからの操作情報を受付ける。通信部３４０は、例えばＵＳＢや有線ＬＡＮ、光通信、無線ＬＡＮ、移動通信（例えば３Ｇ、４Ｇ）等のインターフェースであり、種々のデータや制御情報を外部装置との間で送受信する。
【００９３】
なお、上記のように本実施形態について詳細に説明したが、本発明の新規事項および効果から実体的に逸脱しない多くの変形が可能であることは当業者には容易に理解できるであろう。従って、このような変形例はすべて本発明の範囲に含まれるものとする。例えば、明細書又は図面において、少なくとも一度、より広義または同義な異なる用語と共に記載された用語は、明細書又は図面のいかなる箇所においても、その異なる用語に置き換えることができる。また本実施形態及び変形例の全ての組み合わせも、本発明の範囲に含まれる。また表示パネル、ドライバー、処理部、電気光学装置、電子機器等の構成・動作等も、本実施形態で説明したものに限定されず、種々の変形実施が可能である。
【符号の説明】
【００９４】
１００  ドライバー、１１０  ゲートドライバー、１２０  ソースドライバー、
１３０  制御回路、２１０  カラー表示パネル、
２２０，２３０  モノクロ表示パネル、３００  処理部、３１０  電気光学装置、
３２０  メモリー、３３０  操作部、３４０  通信部、３５０  表示パネル、
ＢＵ１〜ＢＵ３  第１〜第３のバス、
ＤＲ［７：０］，ＤＧ［７：０］，ＤＢ［７：０］  カラーの画像データ、
ＤＭ［７：０］  モノクロの画像データ、
ＤＭ１［７：０］，ＤＭ２［７：０］，ＤＭ３［７：０］  モノクロの画像データ、
Ｇ１〜Ｇ９６０  ゲート線、ＧＲ１、ＧＧ１、ＧＢ１  ゲート線、
ＧＱ１〜ＧＱ９６０  ゲート駆動信号、ＨＳＹＮＣ，ｈｓｙｎｃ  水平同期信号、
ＨＰ，ｈｐ  水平走査期間、Ｌ１〜Ｌ９６０  水平走査線、
Ｓ１〜Ｓ４８０  ソース線、ＳＱ１〜ＳＱ４８０  ソース駆動信号、
ＴＭ１，ＴＭ２  モード設定端子
【図１】
2015184610.tif 000003
【図２】
2015184610.tif 000004
【図３】
2015184610.tif 000005
【図４】
2015184610.tif 000006
【図５】
2015184610.tif 000007
【図６】
2015184610.tif 000008
【図７】
2015184610.tif 000009
【図８】
2015184610.tif 000010
【図９】
2015184610.tif 000011
【図１０】
2015184610.tif 000012
【図１１】
2015184610.tif 000013
【図１２】
2015184610.tif 000014
【図１３】
2015184610.tif 000015